(57)【要約】      （修正有）【課題】使用された針が注射円筒に収容され、注射後の注射円筒に残留する薬剤の残量を最小に抑えることができ、簡単で精確に操作することができ、リサイクルの安全性が向上する安全注射器を提供する。【解決手段】薬剤を収容する薬剤収容空間を有する注射円筒と、注射円筒の薬剤収容空間に貫入する押えロッドと、注射円筒の前端に設けられ針を組付可能な針台と、針台および針に被せる針蓋と、を含む。押えロッドは、その上端に押付部が設けられ、押付部の下方に中央コラム部位が設けられ、中央コラム部位にブッシュが嵌合される。針台は、その前端に設けられた小径の貫入部が注射円筒の前記針の貫通孔を挿通して突出し、貫入部の中心に針を設ける通路が設けられ、通路の後端に組付空間が設けられ、組付空間の開口の端部には、第１大径部と、より小径な第２内径部と、第３ネック部と、が設けられる。【選択図】図１
0003157015.tif 000002
【実用新案登録請求の範囲】
【請求項１】
薬剤を収容する薬剤収容空間を有する注射円筒と、前記注射円筒の前記薬剤収容空間に貫入する押えロッドと、前記注射円筒の前端に設けられ針を組付可能な針台と、前記針台および前記針に被せる針蓋と、を含む安全注射器において、
前記押えロッドは、その上端に予定の形状および直径を有し中空な押付部が設けられ、前記押付部の下方に中央コラム部位が設けられ、前記中央コラム部位にブッシュが嵌合され、前記ブッシュと前記中央コラム部位の下方に設けられた止め縁部とにより、薬剤の漏れを防止することができ、前記止め縁部の下方にネック部が設けられ、前記ネック部の下方に若干のリブを有するロッドが設けられ、
前記針台は、その前端に設けられた小径の貫入部が前記注射円筒の前記針の貫通孔を挿通して突出し、前記貫入部の中心に前記針の通路が設けられ、前記通路の後端に組付空間が設けられ、前記組付空間の開口の端部には、第１大径部と、より小径な第２内径部と、第３ネック部と、が設けられ、前記第１大径部の直径は前記押えロッドの前記押付部の外径よりも大きく、前記第２内径部は前記組付空間と前記通路の連通部位に位置し、前記第３ネック部は前記第１大径部と前記第２内径部の間に設けられ、前記押付部は、前記第１大径部にガイドされ前記組付空間にスムーズに前進することができ、且つ圧迫され縮径して前記第２内径部に進入することができ、その自身の弾性回復力により前記第３ネック部に係合することができ、これにより、薬剤の全部を前記針に絞って人体に注入可能であり、また、前記押えロッドが後退しているときに、前記針台及び前記針が前記注射円筒の前記薬剤収容空間に引き込まれ、その後、前記押えロッドの前記ネック部を断ち切った後、前記針台及び前記針が前記注射円筒内に残ることを特徴とする、安全注射器。
【請求項２】
前記押えロッドの前記押付部と、前記押付部の下に連接する中央コラム部位とは、予定の開角を有することを特徴とする、請求項１に記載の安全注射器。
【請求項３】
前記押付部の前記中央コラム部位に嵌められる前記ブッシュは、前記注射円筒の前記薬剤収容空間の内径に対応する二つの環状凸部と、前記二つの環状凸部の間に設けられた環状溝と、から構成されることを特徴とする、請求項１に記載の安全注射器。
【請求項４】
前記針台の前記組付空間の外部には、環状溝が設けられ、前記環状溝にシールリングが設けられることを特徴とする、請求項１に記載の安全注射器。
【請求項５】
前記針台の前記貫入部の外部の所定箇所では、更に、凸縁が設けられ、前記凸縁により注射時に前記針台が前記注射円筒に設けられた貫通孔の奥まで沈むことを防止できることを特徴とする、請求項１に記載の安全注射器。
【請求項６】
前記針台の前記貫入部の下方には、前記注射円筒の前記貫通孔と、前記薬剤収容空間の内部と、に形成された止め部に当接する定位部が設けられることを特徴とする、請求項１に記載の安全注射器。
【請求項７】
前記押付部の表面には、前記薬剤収容空間と連通する貫通孔が設けられることを特徴とする、請求項１に記載の安全注射器。
【請求項８】
前記貫通孔の直径は、前記押付部側には徐々に拡径する形状を呈し、前記ブッシュ側には徐々に縮径する形状を呈することを特徴とする、請求項７に記載の安全注射器。
【請求項９】
注射円筒と、前記注射円筒に挿入される押えロッドと、前記注射円筒の前端に設けられ針を組付可能な針台と、を含み、前記押えロッドの上端には、貫通孔を有する押付部が設けられ、前記針台の後端には、前記押付部が押されて進入可能な組付空間が設けられ、前記貫通孔により、前記押付部が圧力を受けているときにその直径が縮小することを特徴とする、安全注射器。
【考案の詳細な説明】
【技術分野】
【０００１】
本考案は、注射器に係り、特に、使用された針が注射円筒に収容され、注射後の注射円筒に残留する薬剤の残量を最小に抑えることができ、簡単で精確に操作することができ、リサイクルの安全性が向上する安全注射器に関するものである。
【背景技術】
【０００２】
医療技術の進展に従って、医療安全の重要性が重要視されるようになったため、医療道具の使用および医療道具の使用後の処理が極めて慎重に施されている。注射装置の使用の重点は、針の重複使用の防止と、針による人員の怪我の防止とにある。これにより、使用された針を破壊することが必要であり、且つ使用された針を破壊する過程中における針による怪我の防止も必要である。
【考案の概要】
【考案が解決しようとする課題】
【０００３】
本考案の主な目的は、使用された針が注射円筒に収容され、注射後の注射円筒に残留する薬剤の残量を最小に抑えることができ、簡単で精確に操作することができ、リサイクルの安全性が向上する安全注射器を提供することにある。
【課題を解決するための手段】
【０００４】
本考案の安全注射器によると、薬剤を収容する薬剤収容空間を有する注射円筒と、前記注射円筒の前記薬剤収容空間に貫入する押えロッドと、前記注射円筒の前端に設けられ針を組付可能な針台と、前記針台および前記針に被せる針蓋と、を含む安全注射器において、前記押えロッドは、その上端に予定の形状および直径を有し中空な押付部が設けられ、前記押付部の下方に中央コラム部位が設けられ、前記中央コラム部位にブッシュが嵌合され、前記ブッシュと前記中央コラム部位の下方に設けられた止め縁部とにより、薬剤の漏れを防止することができ、前記止め縁部の下方にネック部が設けられ、前記ネック部の下方に若干のリブを有するロッドが設けられ、前記針台は、その前端に設けられた小径の貫入部が前記注射円筒の前記針の貫通孔（又は前記注射円筒に設けられた針取付穴）を挿通して突出し、前記貫入部の中心に前記針を通す通路が設けられ、前記通路の後端に組付空間が設けられ、前記組付空間の開口の端部には、第１大径部と、より小径な第２内径部と、第３ネック部と、が設けられ、前記第１大径部の直径は前記押えロッドの前記押付部の外径よりも大きく、前記第２内径部は前記組付空間と前記通路の連通部位に位置し、前記第３ネック部は前記第１大径部と前記第２内径部の間に設けられ、前記押付部は、前記第１大径部にガイドされ前記組付空間にスムーズに前進することができ、且つ圧迫され縮径して前記第２内径部に進入することができ、その自身の弾性回復力により前記第３ネック部に係合することができ、これにより、薬剤の全部を前記針に絞って人体に注入可能であり、また、前記押えロッドが後退しているときに、前記針台及び前記針が前記注射円筒の前記薬剤収容空間に引き込まれ、その後、前記押えロッドの前記ネック部を断ち切った後、前記針台及び前記針が前記注射円筒内に残ることを特徴とする。
【０００５】
本考案の安全注射器によると、前記押えロッドの前記押付部と、前記押付部の下に連接する中央コラム部位とは、予定の開角を有することを特徴とする。
【０００６】
本考案の安全注射器によると、前記押付部の前記中央コラム部位に嵌められる前記ブッシュは、前記注射円筒の前記薬剤収容空間の内径に対応する二つの環状凸部と、前記二つの環状凸部の間に設けられた環状溝と、から構成されることを特徴とする。
【０００７】
本考案の安全注射器によると、前記針台の前記組付空間の外部には、環状溝が設けられ、前記環状溝にシールリングが設けられることを特徴とする。
【０００８】
本考案の安全注射器によると、前記針台の前記貫入部の外部の所定箇所では、更に、凸縁が設けられ、前記凸縁により注射時に前記針台が前記注射円筒に設けられた貫通孔（又は前記注射円筒に設けられた針取付穴）の奥まで沈むことを防止できることを特徴とする。
【０００９】
本考案の安全注射器によると、前記針台の前記貫入部の下方には、前記注射円筒の前記貫通孔（又は前記注射円筒に設けられた針取付穴）と、前記薬剤収容空間の内部と、に形成された止め部に当接する定位部が設けられることを特徴とする。
【００１０】
本考案の安全注射器によると、前記押付部の表面には、前記薬剤収容空間と連通する貫通孔が設けられることを特徴とする。
【００１１】
本考案の安全注射器によると、前記貫通孔の直径は、前記押付部側には徐々に拡径する形状を呈し、前記ブッシュ側には徐々に縮径する形状を呈することを特徴とする。
【００１２】
本考案の安全注射器によると、注射円筒と、前記注射円筒に挿入される押えロッドと、前記注射円筒の前端に設けられ針を組付可能な針台と、を含み、前記押えロッドの上端には、貫通孔を有する押付部が設けられ、前記針台の後端には、前記押付部が押されて進入可能な組付空間が設けられ、前記貫通孔により、前記押付部が圧力を受けているときにその直径が縮小することを特徴とする。
【考案の効果】
【００１３】
本考案の安全注射器によれば、使用された針が注射円筒に収容され、注射後の注射円筒に残留する薬剤の残量を最小に抑えることができ、簡単で精確に操作することができ、リサイクルの安全性が向上するという効果を有する。
【図面の簡単な説明】
【００１４】
【図１】本考案の一実施例の安全注射器の分解斜視図であって、Ａは本考案に係る押付部の模式図である。
【図２】図１の組合状態の断面図である。
【図３】本考案に係る針台の組付空間に押えロッドを前進した状態を示す断面図である。
【図４】本考案に係る押えロッドを後退しているときに、針台及び針が注射円筒内に引き込まれる状態を示す断面図である。
【図５】本考案に係る押えロッドのネック部を断ち切った後、針台及び針が注射円筒内に残られる状態を示す断面図である。
【考案を実施するための形態】
【００１５】
以下、本考案の実施の形態を図面に基づいて説明する。
まず、図１及び図２を参照する。本考案の安全注射器は、注射円筒１１と、押えロッド１２と、針台１３と、針１４と、前記針１４に被せる針蓋１５と、を含む。
【００１６】
前記注射円筒１１は、円筒形状を呈し、その前端の中心に小径の貫通孔１１１が設けられ、その後端の底部には、親指で握り可能な握り片１１２が設けられ、前記注射円筒１１の内部に薬剤収容空間１１３が形成され、前記薬剤収容空間１１３の前端の内部と前記貫通孔１１１の間に、より小径な止め部１１４が形成される。
【００１７】
前記押えロッド１２は、その上端に予定の形状および直径（前記注射円筒１１の前記薬剤収容空間１１３の内径よりも小さい）を有し中空な押付部１２１が設けられ、前記押付部１２１の表面には、前記薬剤収容空間１１３と連通する貫通孔１２１１が設けられ、前記貫通孔１２１１の直径は、前記押付部１２１側には徐々に拡径する形状を呈し、ブッシュ１９側には徐々に縮径する形状を呈する。中央コラム部位１２２は前記押付部１２１の下から伸び、前記中央コラム部位１２２に前記ブッシュ１９が嵌合され、前記ブッシュ１９は、前記注射円筒１１の前記薬剤収容空間１１３の内径に対応する二つの環状凸部１９１、１９２と、前記二つの環状凸部１９１、１９２の間に設けられた環状溝１９３と、から構成される。前記ブッシュ１９と前記中央コラム部位１２２の下方に設けられた止め縁部１２３とにより、薬剤の漏れを防止することができる。且つ前記ブッシュ１９により、前記押えロッド１２の移動が容易になる。前記止め縁部１２３と前記止め縁部１２３の下方に設けられたネック部１２４とにより、注射後に前記押えロッド１２を前記ネック部１２４から断ち切ると、前記ネック部１２４が注射円筒１１内に残る。前記ネック部１２４の下に若干のリブ１２５が設けられ、これらの前記リブ１２５の末端には、親指で押付けることができる押え片１２６が設けられる。前記押えロッド１２の前記押付部１２１と、前記押付部１２１の下に連接する中央コラム部位１２２とは、予定の開角を有する。前記開角の目的および用途は後で説明する。
【００１８】
前記針台１３は、その前端に設けられた小径の貫入部１３１が前記注射円筒１１の前記貫通孔１１１を挿通して突出可能であり、前記貫入部１３１の所定箇所では、更に、凸縁１３２が設けられ、前記凸縁１３２により注射時に前記針台１３が前記注射円筒１１に設けられた前記貫通孔１１１の奥まで沈むことを防止できる。前記貫入部１３１の下方には、前記注射円筒１１の止め部１１４に当接する定位部１３３が設けられる。前記貫入部１３１の中心に前記針１４を通す通路１３４が設けられ、前記通路１３４の後端に組付空間１３５が設けられ、前記組付空間１３５の外部には、環状溝１３６が設けられ、前記環状溝１３６にシールリング１３７が設けられる。前記シールリング１３７と、前記貫入部１３１に設けられた前記凸縁１３２と、前記押えロッド１２に設けられた前記ブッシュ１９と、前記止め縁１２３とにより、薬剤が前記薬剤収容空間１１３から漏れ出すことを完全に防止できる。互いに連通する、前記薬剤収容空間１１３と、前記組付空間１３５と、前記通路１３４と、前記針１４とにより、前記薬剤収容空間１１３に収容される薬剤は、押えロッド１２に絞られて前記針１４を経由して人体に注入可能である。前記組付空間１３５の開口の端部には、第１大径部１３５１と、より小径な第２内径部１３５２と、第３ネック部１３５３と、が設けられる。前記第１大径部１３５１の直径は前記押えロッド１２の前記押付部１２１の外径よりも大きい。前記第２内径部１３５２は、前記組付空間１３５と前記通路１３４の連通部位に位置し、その内径が前記押えロッド１２の前記押付部１２１の外径とほぼ同じである。前記第３ネック部１３５３は、前記第１大径部１３５１と前記第２内径部１３５２の間に設けられ、その内径が前記押えロッド１２の前記押付部１２１と前記中央コラム部位１２２の連接箇所での外径とほぼ同じである。
【００１９】
次に、本考案の安全注射器の使用方法を説明する。注射円筒１１に薬剤を吸上げて針１４を人体に差し込んで注射することは、従来のものと同じが、図３に示すように、注射の動作の最後に薬剤が少し残るときには、前記押えロッド１２に設けられた押付部１２１は、中空で先端が半球形状を呈するため、押えロッド１２が継続に前進するときに、所定角度で傾斜する前記押付部１２１が、前記針台の組付空間１３５の底部の開口端にある前記第１大径部１３５１に接触して、前記第１大径部１３５１にガイドされて、その貫通孔の直径が縮小して前記第２内径部１３５２に進入する。前記第２内径部１３５２の内径はより小さいが、前記押付部１２１の貫通孔構造により、圧迫される前記押付部１２１の直径は容易に縮小することができるため、前記第２内径部１３５２に進入することができる。前記押付部１２１は、自身が弾性回復力を有するため、前記第２内径部１３５２に進入した後、前記組付空間１３５の形状により前記第３ネック部１３５３と係合することができる。図３に示すように、前記押えロッド１２と前記針台１３が緊密に連接するため、前記薬剤収容空間１１３に残る薬剤を完全に押出すことができ、従来のもののように、所定液量の薬剤が薬剤収容空間に残り完全に押出すことができず、注射液量を精確に把握することができない問題を解決することができる。
【００２０】
また、注射が終わったときに、前記押えロッド１２を引き戻すと同時に、前記針台１３と前記押えロッド１２の連結が極めて緊密であるため、前記針台１３と前記押えロッド１２とが前記注射円筒１１の前記薬剤収容空間１１３内に連れ込まれる。前記押付部１２１と前記中央コラム部位１２２は所定の開角を有するため、前記針台１３と前記針１４とは、前記薬剤収容空間１１３内に連れ込まれたときに、傾斜状態になり、前記貫通孔１１１に再度貫入して使用することができない。図４に示すように、前記押えロッド１２の前記ネック部１２４が前記薬剤収容空間１１３の末端まで後退したときに、前記押えロッド１２を左右に捩じることにより前記ネック部１２４を断ち切ることができる。図５に示すように、使用された、前記針１４と、前記針台１３と、前記押えロッド１２の前半とは、前記注射円筒１１に収容されるため、針の重複使用と、針による人員の怪我とを完全に回避することができる。
【産業上の利用可能性】
【００２１】
本考案は、注射器に適用することができる。
【符号の説明】
【００２２】
１１        注射円筒
１２        押えロッド
１３        針台
１４        針
１５        針蓋
１９        ブッシュ
１１１      針取付穴（又は貫通孔）
１１２      握り片
１１３      薬剤収容空間
１１４      止め部
１２１      押付部
１２２      中央コラム部位
１２３      止め縁部
１２４      ネック部
１２５      リブ
１２６      押え片
１３１      貫入部
１３２      凸縁
１３３      定位部
１３４      通路
１３５      組付空間
１３６      環状溝
１３７      シールリング
１９１      環状凸部
１９２      環状凸部
１９３      環状溝
１２１１    貫通孔
１３５１    第１大径部
１３５２    第２内径部
１３５３    第３ネック部
【図１】
0003157015.tif 000003
【図２】
0003157015.tif 000004
【図３】
0003157015.tif 000005
【図４】
0003157015.tif 000006
【図５】
0003157015.tif 000007
【手続補正書】
【提出日】平成21年11月25日(2009.11.25)
【手続補正１】
【補正対象書類名】明細書
【補正対象項目名】００１４
【補正方法】変更
【補正の内容】
【００１４】
【図１】本考案の一実施例の安全注射器の分解斜視図であって、（Ａ）は本考案に係る押付部の模式図である。
【図２】図１の組合状態の断面図である。
【図３】本考案に係る針台の組付空間に押えロッドを前進した状態を示す断面図である。
【図４】本考案に係る押えロッドを後退しているときに、針台及び針が注射円筒内に引き込まれる状態を示す断面図である。
【図５】本考案に係る押えロッドのネック部を断ち切った後、針台及び針が注射円筒内に残られる状態を示す断面図である。
【手続補正２】
【補正対象書類名】図面
【補正対象項目名】図１
【補正方法】変更
【補正の内容】
【図１】
0003157015.tif 000008